(57)【特許請求の範囲】
【請求項１】
表示部と、
前記表示部と隙間を介して対向して配置された入力部と、
前記入力部を振動させる振動体と、
前記表示部を収容するフレームと、
前記表示部を取り囲むようにして前記フレーム上に設けられており、かつ前記入力部を支持する支持体と、を備え、
前記支持体は、第１部位と、該第１部位よりも撓みの小さい第２部位とを含み、
前記第２部位は、前記入力部の隅部に位置するとともに、前記第１部位と同じ材料からなり、断面視して、前記第２部位は、前記第１部位と形状が異なっている、入力機能付き表示装置。
【請求項２】
前記入力部は、平面視して矩形状であり、
前記第２部位は、前記入力部の２つの隅部に位置し、
前記入力部の前記２つの隅部は、平面視して対角線上に位置する、請求項１に記載の入力機能付き表示装置。
【請求項３】
前記第２部位は、前記入力部の４つの隅部に位置する、請求項２に記載の入力機能付き表示装置。
【請求項４】
前記第１部位は、断面視してＭ字状をなしている、請求項１〜３のいずれか一項に記載の入力機能付き表示装置。
【請求項５】
前記第１部位は、断面視してＺ字状をなしている、請求項１〜３のいずれか一項に記載の入力機能付き表示装置。
【請求項６】
前記入力部は、タッチパネルである、請求項１〜５のいずれか一項に記載の入力機能付き表示装置。
【請求項７】
前記表示部は、液晶表示パネルである、請求項１〜５のいずれか一項に記載の入力機能付き表示装置。
【請求項８】
請求項１〜７のいずれか一項に記載の入力機能付き表示装置を筐体に備えた機器。
【発明の詳細な説明】
【技術分野】
【０００１】
本発明は、使用者に対して触感を伝達することができる入力機能付き表示装置、および機器に関する。
【背景技術】
【０００２】
近年、タッチパネル（入力部）を備えた入力機能付き表示装置において、使用者がこのタッチパネルを操作した場合に、操作した使用者に対して、押圧感、なぞり感、肌触り感等の様々な触感を伝達する触覚伝達技術が知られている。
【０００３】
このような触覚伝達技術を適用した入力機能付き表示装置では、表示パネル（表示部）と、表示パネルと隙間を介して対向して配置されたタッチパネルと、タッチパネルを振動させる振動体と、タッチパネルを支持する支持体とを備えている（例えば、特許文献１参照）。振動体がタッチパネルを振動させることにより、使用者に対して触感を伝達することができる。
【０００４】
ここで、上記の支持体は、表示パネルに対する防水性および防塵性を考慮して、表示パネルを取り囲むようにしてフレーム上に設けられている（例えば、特許文献２参照）。なお、この支持体は、タッチパネルの振動を抑制しないように、ある程度の弾性を有している。
【先行技術文献】
【特許文献】
【０００５】
【特許文献１】特開２００３−１２２５０７号公報
【特許文献２】特開２００６−２１５７７６号公報
【発明の概要】
【発明が解決しようとする課題】
【０００６】
ところで、触覚伝達技術を実現するためには、上述のように、タッチパネルを振動させる必要がある。具体的には、振動体の振動によって、タッチパネルを上下に撓ませる必要がある。しかしながら、上記従来の入力機能付き表示装置では、タッチパネルを支持する支持体は、表示パネルに対してある程度の防水性および防塵性を確保するために、表示パネルを取り囲むようにしてフレーム上に設けられている。このため、振動体の振動によって、タッチパネルを上下に撓ませようとしても、支持体によってタッチパネルの振動が吸収され、タッチパネルが上下に十分に撓まない可能性があった。タッチパネルが十分に撓まないと、使用者に対して、リアルな触感を伝達することができない。
【０００７】
本発明は、上記の問題点に鑑みてなされたものであり、その目的は、表示部に対してある程度の防水性および防塵性を確保しつつ、入力部を十分に撓ませることができる入力機能付き表示装置、および機器に関する。
【課題を解決するための手段】
【０００８】
本発明の入力機能付き表示装置における一形態は、表示部と、前記表示部と隙間を介して対向して配置された入力部と、前記入力部を振動させる振動体と、前記表示部を収容するフレームと、前記表示部を取り囲むようにして前記フレーム上に設けられており、かつ前記入力部を支持する支持体と、を備え、前記支持体は、第１部位と、該第１部位よりも撓みの小さい第２部位とを含み、前記第２部位は、前記入力部の隅部に位置するとともに、前記第１部位と同じ材料からなり、断面視して、前記第２部位は、前記第１部位と形状が異なっている。
【発明の効果】
【０００９】
本発明の入力機能付き表示装置、および機器は、表示部に対してある程度の防水性および防塵性を確保しつつ、入力部を十分に撓ませることができる、という効果を奏する。
【図面の簡単な説明】
【００１０】
【図１】本発明の第１の実施形態に係る入力機能付き表示装置の概略構成を示す平面図である。
【図２】図１中に示した切断線Ｉ−Ｉに沿って切断した断面図である。
【図３】図１中に示した切断線ＩＩ−ＩＩに沿って切断した断面図である。
【図４】図１中に示した切断線ＩＩＩ−ＩＩＩに沿って切断した断面図である。
【図５】本発明の変形例に係る入力機能付き表示装置の概略構成を示す断面図であって、図２と同じ部分を表す図である。
【図６】入力機能付き表示装置の動作例を示すフローチャートである。
【図７】携帯端末の概略構成を示す斜視図である。
【図８】本発明の第２の実施形態に係る入力機能付き表示装置の概略構成を示す平面図である。
【図９】図８中に示した切断線ＩＶ−ＩＶに沿って切断した断面図である。
【図１０】図８中に示した切断線Ｖ−Ｖに沿って切断した断面図である。
【図１１】図８中に示した切断線ＶＩ−ＶＩに沿って切断した断面図である。
【図１２】本発明の変形例に係る入力機能付き表示装置の概略構成を示す平面図である。
【発明を実施するための形態】
【００１１】
以下、本発明の実施形態について、図面を参照しながら説明する。
【００１２】
但し、以下で参照する各図は、説明の便宜上、本発明の一実施形態の構成部材のうち、本発明を説明するために必要な主要部材を簡略化して示したものである。したがって、本発明に係る入力機能付き表示装置、および機器は、本明細書が参照する各図に示されていない任意の構成部材を備え得る。
【００１３】
[実施の形態１]
図１に示すように、本実施形態に係る入力機能付き表示装置Ｘ１は、液晶表示パネル２、タッチパネル３、振動体４、フレーム５、および支持体６を備えている。
【００１４】
液晶表示パネル（表示部）２は、表示のために液晶組成物を利用したパネルである。具体的には、液晶表示パネル２は、一方基板と、一方基板に対向して配置される他方基板と、一方基板と他方基板との間に介在した液晶層と、一方基板と他方基板との間に介在しかつ表示に寄与する表示部材層とを備えている。なお、表示部材層としては、例えば、画素電極、配向膜等が挙げられる。また、液晶表示パネル２は、透過型であれば、一方基板、液晶層、および他方基板を照射するバックライトを備えており、反射型であれば、一方基板と他方基板との間に介在した反射膜を備えている。また、液晶表示パネル２は、半透過型であれば、バックライトを備えているとともに、一方基板と他方基板との間に介在した半透過膜を備えている。
【００１５】
液晶表示パネル２の駆動方式としては、単純マトリクス駆動方式であってもよいし、アクティブマトリクス駆動方式であってもよい。また、アクティブマトリクス駆動方式の液晶表示パネル２である場合、その方式として、ＴＮ（Twisted Nematic）型、ＩＰＳ（In-Plane Switching）型、ＡＦＦＳ（Advanced Fringe Field Switching）型、ＶＡ（Vertical Alignment）型、ＯＣＢ（Optically Compensated Bend）型のいずれであってもよい。また、モノクロの液晶表示パネル２であってもよいし、カラーの液晶表示パネル２であっ
てもよい。ここで、実際には、液晶表示パネル２の表面あるいは裏面には、位相差板、偏光板等が設けられているが、説明の便宜上、ここでの説明は省略する。
【００１６】
なお、液晶表示パネル３の代わりに、ＣＲＴ、プラズマディスプレイ、有機ＥＬディスプレイ、無機ＥＬディスプレイ、ＬＥＤディスプレイ、蛍光表示管、電界放出ディスプレイ、表面電界ディスプレイ、電子ペーパ等の表示部であってもよい。
【００１７】
タッチパネル（入力部）３は、使用者が指あるいはペン等で操作した箇所を入力位置として検出する入力デバイスである。図２〜図４に示すように、タッチパネル３は、液晶表示パネル２と隙間Ｓ１を介して対向して配置されている。タッチパネル３は、操作面３ａ、および操作面３ａの反対側に位置する背面３ｂを有している。すなわち、タッチパネル３の操作面３ａが、使用者により指あるいはペン等で操作される面となる。また、図１に示すように、タッチパネル３は、平面視して矩形状であるが、これに限られない。ここで、本実施形態では、タッチパネル３は、静電容量方式のタッチパネルであるが、これに限らず、抵抗膜方式のタッチパネル、表面弾性波方式のタッチパネル、赤外線方式のタッチパネル、電磁誘導方式のタッチパネルであってもよい。
【００１８】
振動体４は、使用者による所定の入力操作を検知した場合に、タッチパネル３を振動させる役割を担う部材である。具体的には、振動体４の振動によって、タッチパネル３は上下に撓む。本実施形態では、振動体４は、印加される電圧に基づいて振動する圧電素子である場合について説明するが、これに限らず、電磁式振動体、モータ等であってもよい。圧電素子としては、例えば、圧電体層と金属層とが交互に積層されたバイモルフ型が挙げられる。また、本実施形態では、図３および図４に示すように、振動体４は、タッチパネル３の背面３ｂに設けられている。また、図１に示すように、振動体４は、タッチパネル３の短辺に沿って２つ設けられている。なお、タッチパネル３を入力操作した使用者に対して触感を伝達することができれば、振動体４の数や配置位置等については、任意である。
【００１９】
フレーム５は、液晶表示パネル２を収容する役割を担う部材である。フレーム５は、液晶表示パネル３が設けられた第１フレーム５１と、液晶表示パネル２およびタッチパネル３を取り囲むようにして第１フレーム５１上に設けられた第２フレーム５２とを有している。ここで、第１フレーム５１と第２フレーム５２とは、一体的に形成されていてもよいし、別個独立に形成されていてもよい。フレーム５の構成材料としては、例えば、ポリカーボネート等の樹脂、あるいはステンレス（ＳＵＳ）、アルミニウム等の金属が挙げられる。
【００２０】
支持体６は、タッチパネル３を支持する役割を担う部材である。また、支持体６は、液晶表示パネル２を取り囲むようにして第１フレーム５１上に設けられている。具体的には、支持体６は、両面テープＴ１を介して、タッチパネル３および第１フレーム５１に接続されている。支持体６が液晶表示パネル２を取り囲むようにして第１フレーム５１上に設けられているので、外部からの水あるいは埃が、液晶表示パネル２に付着するのを抑制できる。すなわち、本実施形態に係る入力機能付き表示装置Ｘ１は、液晶表示パネル２に対してある程度の防水性および防塵性を有している。なお、液晶表示パネル２に対する防水性をより実現するために、両面テープＴ１は、防水性を有したテープであることが好ましい。
【００２１】
また、支持体６は、タッチパネル３の振動を抑制しないように、ある程度の弾性を有している。このため、支持体６の構成材料としては、例えば、シリコーンゴム、ウレタンゴム、発泡ウレタン、その他のゴム類、プラスチック、ステンレス等が挙げられる。
【００２２】
ここで、支持体６は、第１部位６１と、第１部位６１よりも撓みの小さい第２部位６２とを含んでいる。すなわち、第２部位６２は、第１部位６１よりも物理的に固い。なお、「撓み」とは、材質の形状変化（形状変形）のことを言う。例えば、撓みゲージにより撓みを計測することができる。第１部位６１は、タッチパネル３の４つの隅部Ｃ１〜Ｃ４以外の外周部に位置している。第２部位６２は、タッチパネル３の４つの隅部Ｃ１〜Ｃ４に位置している。なお、この隅部Ｃ１〜Ｃ４は、本実施形態ではタッチパネル３の角部に相当するが、タッチパネル３の角部に限定されるものではなく、あくまで、タッチパネル３の隅に位置する部位という意味である。
【００２３】
また、第１部位６１は、図２および図３に示すように、断面視してＭ字状をなしている。第１部位６１が断面視してＭ字状をなしているので、第１部位６１は、タッチパネル３の振動に伴って伸縮し、この伸縮する力で、タッチパネル３の振動を付勢することができる。第２部位６２は、図４に示すように、断面視して矩形状をなしており、一部が切り欠かれた切欠部６２ａが設けられている。なお、第２部位６２に切欠部６２ａを設けているのは、第２部位６２の撓みの度合いを調整するためである。すなわち、切欠部６２ａは、撓みの度合いを調整するための調整部としての役割を有する。また、第１部位６１と第２部位６２とは、同じ材料からなる。
【００２４】
このように、本実施形態では、第２部位６２は、第１部位６１と同じ材料からなり、第２部位６２は、第１部位６１よりも撓みが小さくなるように、第１部位６１と形状を異ならせている。例えば、タッチパネル３にある一定の押圧力（荷重応力）を加えた場合、第１部位６１の撓みは１０〜９０％、第２部位６２の撓みは０〜７０％になるように、かつ第２部位６２が、第１部位６１よりも撓みが小さくなるように設定する。なお、この数値は、元の形状に対してどのくらいの割合で撓んだかを表した値である。
【００２５】
本実施形態では、支持体６は、液晶表示パネル２を取り囲むようにして第１フレーム５１上に設けられている。このため、入力機能付き表示装置Ｘ１は、液晶表示パネル２に対してある程度の防水性および防塵性を確保することができる。また、本実施形態では、第１部位６１は、タッチパネル３の４つの隅部Ｃ１〜Ｃ４以外の外周部に位置しており、第１部位６１よりも撓みの小さい第２部位６２は、タッチパネル３の４つの隅部Ｃ１〜Ｃ４に位置している。このため、振動体４の振動によって、タッチパネル３を上下に撓ませようとする場合、タッチパネル３の４つの隅部Ｃ１〜Ｃ４に位置する第２部位６２が支点となって、タッチパネル３を上下に十分に撓ませることができる。そのため、入力機能付き表示装置Ｘ１は、使用者に対して十分な触感を伝達することが可能となる。
【００２６】
なお、上記では、第１部位６１は、断面視してＭ字状をなしている例について説明したが、これに限定されない。例えば、第１部位６１は、図５に示すように、断面視してＺ字状をなしていてもよい。第１部位６１が断面視してＺ字状をなしている場合、第１部位６１が断面視してＭ字状をなしている場合と比べて、第１部位６１を容易に形成することができる。また、第１部位６１が断面視してＺ字状をなしている場合、第１部位６１が断面視してＭ字状をなしている場合と比べて、第１部位６１の折れ曲がり回数が少ないことから、第１部位６１の厚みを小さくすることができる。さらに、液晶表示パネル２とタッチパネル３との間の隙間Ｓ１が狭く、かつ第１部位６１が断面視してＭ字状をなしている場合、第１部位６１の折れ曲がり回数が多いことから、逆に、タッチパネル３の振動を妨げる可能性があるが、第１部位６１が断面視してＺ字状をなしている場合、このような問題は生じない。また、第１部位６１は、断面視してコの字状をなしていてもよい。また、第１部位６１は、中空を有した円筒状であってもよい。
【００２７】
また、上記では、第２部位６２は、断面視して矩形状をなしており、一部が切り欠かれた切欠部６２ａが設けられている例について説明したが、これに限定されない。第２部位
６２には、切欠部６２ａが設けられていなくともよい。
【００２８】
また、上記では、第２部位６２は、第１部位６１と同じ材料からなり、かつ第１部位６１と形状を異ならせている例について説明したが、これに限定されない。例えば、第２部位６２は、第１部位６１と形状を同じくし、かつ第１部位６１の材料と異なる材料を用いて構成してもよい。具体的には、第２部位６２は、第１部位６１よりも撓みが小さくなるように、第１部位６１の材料と異なる材料を用いて構成する。
【００２９】
次に、上記の構成に係る入力機能付き表示装置Ｘ１の動作について、図６を参照しながら説明する。
【００３０】
なお、以下では、触覚伝達のうち使用者に対して押圧感を伝達する場合の入力機能付き表示装置Ｘ１の動作例について説明するが、入力機能付き表示装置Ｘ１は、押圧感以外の、例えば、なぞり感、肌触り感等の様々な触感を伝達する場合にも適用できることは勿論である。
【００３１】
図６に示すように、使用者が、タッチパネル３の操作面３ａを押圧した場合に、振動体４は、タッチパネル３への押圧荷重を検出する（Ｏｐ１）。ここで、振動体４の荷重検出機能について説明する。すなわち、使用者が、タッチパネル３の操作面３ａを押圧すると、タッチパネル３が撓む。タッチパネル３の撓みに従って振動体４も撓む。つまり、タッチパネル３の操作面３ａへの押圧荷重に応じて、振動体４の撓み量が変移する。本実施形態では、振動体４は、圧電素子であるので、撓み量に応じた電圧に変換することができる。この結果、振動体４によりタッチパネル３の押圧荷重を検出することができる。なお、上記では、荷重検出機能を振動体４で実現している例について説明したが、これに限らず、例えば、歪みセンサ等の荷重センサによって実現してもよい。
【００３２】
本実施形態では、第１部位６１よりも撓みの小さい第２部位６２が、タッチパネル３の４つの隅部Ｃ１〜Ｃ４に位置している。このため、使用者がタッチパネル３の操作面３ａを押圧した場合、タッチパネル３の４つの隅部Ｃ１〜Ｃ４に位置する第２部位６２が支点となって、タッチパネル３を十分に撓ませることができる。そのため、入力機能付き表示装置Ｘ１は、上記のＯｐ１において、使用者によるタッチパネル３の操作面３ａへの押圧荷重を、振動体４によって感度よく検出することができる。
【００３３】
そして、図示しない触覚伝達ドライバは、使用者によるタッチパネル３の操作面３ａへの押圧操作が、表示画面に表示された入力オブジェクトに対する押圧操作である場合に、Ｏｐ１にて検出された押圧荷重が閾値以上であるか否かを判定する（Ｏｐ２）。なお、触覚伝達ドライバは、例えば、タッチパネル３に対して電圧を印加するためのＦＰＣ（Flexible Printed Circuit）上に、タッチパネル３を制御するタッチパネルドライバとともに設けられている。
【００３４】
そして、触覚伝達ドライバは、Ｏｐ１にて検出された押圧荷重が閾値以上であると判定すれば（Ｏｐ２にてＹＥＳ）、振動体４を振動させる（Ｏｐ３）。そして、Ｏｐ３にて振動された振動体４によりタッチパネル３が振動する。これにより、タッチパネル３を押圧した使用者に対して触感が伝達される。一方、触覚伝達ドライバは、Ｏｐ１にて検出された押圧荷重が閾値未満であると判定すれば（Ｏｐ２にてＮＯ）、図６の処理を終了する。
【００３５】
以上より、入力機能付き表示装置Ｘ１によれば、液晶表示パネル２に対してある程度の防水性および防塵性を確保しつつ、タッチパネル３を十分に撓ませることができる。
【００３６】
図７は、上記の入力機能付き表示装置Ｘ１を備えた携帯端末Ｙ１の概略構成を示す斜視
図である。図７に示すように、携帯端末（機器）Ｙ１は、入力機能付き表示装置Ｘ１と、筐体９１と、操作キー９２とを備えている。筐体９１は、入力機能付き表示装置Ｘ１を収容する役割を担う部材である。操作キー９２は、使用者により入力操作されるキーである。なお、操作キー９２は、表示画面に表示された操作キーであってもよいし、物理的に存在する操作キーであってもよい。携帯端末Ｙ１は、例えば、携帯電話、スマートフォン、ＰＤＡ等である。携帯端末Ｙ１は、入力機能付き表示装置Ｘ１を筐体９１に備えているので、液晶表示パネル２に対してある程度の防水性および防塵性を確保しつつ、タッチパネル３を十分に撓ませることができる。
【００３７】
ここで、入力機能付き表示装置Ｘ１は、上記の携帯端末Ｙ１の代わりに、産業用途で使用されるプログラマブル表示器、電子手帳、パーソナルコンピュータ、複写機、ゲーム用の端末装置、テレビ、デジタルカメラ等の種々の機器に備えられていてもよい。
【００３８】
[実施の形態２]
図８は、本実施形態に係る入力機能付き表示装置Ｘ２の概略構成を示す平面図である。図９は、図８中に示した切断線ＩＶ−ＩＶに沿って切断した断面図である。図１０は、図８中に示した切断線Ｖ−Ｖに沿って切断した断面図である。図１１は、図８中に示した切断線ＶＩ−ＶＩに沿って切断した断面図である。なお、図８〜図１１において、図１〜図４と同様の機能を有する構成については、同じ参照符号を付記し、その詳細な説明を省略する。
【００３９】
図８〜図１１に示すように、入力機能付き表示装置Ｘ２は、支持体７を備えている。支持体７は、第１部位７１と、第１部位７１よりも撓みの小さい第２部位７２とを含んでいる。すなわち、第２部位７２は、第１部位７１よりも物理的に固い。第１部位７１は、タッチパネル３の４つの隅部Ｃ１〜Ｃ４を含む外周部に位置している。第２部位７２は、タッチパネル３の４つの隅部Ｃ１〜Ｃ４に位置している。また、第１部位７１は、図９および図１０に示すように、断面視してコの字状をなしている。第２部位７２は、図１１に示すように、断面視して矩形状をなしている。つまり、第２部位７２は、タッチパネル３の４つの隅部Ｃ１〜Ｃ４において、コの字状の第１部位７１に狭持されて配置されている。
【００４０】
このように、本実施形態では、第２部位７２は、第１部位７１と別個独立に構成されている。なお、第２部位７２は、第１部位７１の材料と同じ材料を用いて構成してもよいし、異なる材料を用いて構成してもよい。
【００４１】
本実施形態では、支持体７は、液晶表示パネル２を取り囲むようにして第１フレーム５１上に設けられている。このため、入力機能付き表示装置Ｘ２は、液晶表示パネル２に対してある程度の防水性および防塵性を確保することができる。また、本実施形態では、第１部位７１は、タッチパネル３の４つの隅部Ｃ１〜Ｃ４を含む外周部に位置しており、第１部位７１よりも撓みの小さい第２部位７２は、タッチパネル３の４つの隅部Ｃ１〜Ｃ４に位置している。このため、振動体４の振動によって、タッチパネル３を上下に撓ませようとする場合、タッチパネル３の４つの隅部Ｃ１〜Ｃ４に位置する第２部位７２が支点となって、タッチパネル３を上下に十分に撓ませることができる。そのため、入力機能付き表示装置Ｘ２は、使用者に対して十分な触感を伝達することが可能となる。
【００４２】
また、本実施形態では、使用者がタッチパネル３の操作面３ａを押圧した場合、タッチパネル３の４つの隅部Ｃ１〜Ｃ４に位置する第２部位７２が支点となって、タッチパネル３を十分に撓ませることができる。そのため、入力機能付き表示装置Ｘ２は、使用者によるタッチパネル３の操作面３ａへの押圧荷重を、振動体４によって感度よく検出することができる。
【００４３】
以上より、入力機能付き表示装置Ｘ２によれば、入力機能付き表示装置Ｘ１と同様、液晶表示パネル２に対してある程度の防水性および防塵性を確保しつつ、タッチパネル３を十分に撓ませることができる。
【００４４】
なお、実施の形態１および２では、第２部位６２，７２は、タッチパネル３の４つの隅部Ｃ１〜Ｃ４に位置している例について説明したが、これに限定されない。例えば、第２部位６２，７２は、タッチパネル３の２つの隅部（例えば、Ｃ１とＣ４、あるいは、Ｃ２とＣ３）に位置していてもよい。ここで、この２つの隅部は、平面視して対角線上に位置している。平面視して対角線上に位置する２つの隅部に第２部位６２，７２が位置しているので、この第２部位６２，７２が支点となって、タッチパネル３を上下に撓ませることができる。また、第２部位６２，７２は、タッチパネル３の３つの隅部に位置していてもよい。
【００４５】
また、第２部位６２，７２は、タッチパネル３の１つの隅部に位置していてもよい。１つの隅部に位置する第２部位６２，７２が支点となって、タッチパネル３を上下に撓ませることができる。但し、タッチパネル３を十分に上下に撓ませるためには、少なくとも、タッチパネル３の２つの隅部に第２部位６２，７２が位置していることが好ましい。
【００４６】
また、図１２に示すように、第２部位６２は、タッチパネル３の４つの隅部Ｃ１〜Ｃ４に加えて、隅部Ｃ１，Ｃ２間に位置する隅部Ｃ５、隅部Ｃ３，Ｃ４間に位置する隅部Ｃ６に位置していてもよい。このようにしても、タッチパネル３の６つの隅部Ｃ１〜Ｃ６に位置する第２部位６２が支点となって、タッチパネル３を上下に十分に撓ませることができる。なお、これは、第２部位７２の場合であっても、同様である。
【００４７】
また、支持体を枠状に形成し、タッチパネルの隅部において、この支持体から上方に突出する突出部を形成してもよい。また、突出部間には、撓み易い部材を配置する。すなわち、この入力機能付き表示装置でも、第１部位と、第１部位よりも撓みの小さい第２部位とを有することになる。このようにしても、上述の実施形態で説明したのと同様の効果を得ることができる。
【００４８】
さらに、実施の形態１では、入力機能付き表示装置Ｘ１を備えた携帯端末Ｙ１の例について説明したが、この入力機能付き表示装置Ｘ１に代えて、入力機能付き表示装置Ｘ２を採用してもよい。
【符号の説明】
【００４９】
Ｘ１，Ｘ２  入力機能付き表示装置
Ｙ１  携帯端末（機器）
２  液晶表示パネル（表示部）
３  タッチパネル（入力部）
４  振動体
５  フレーム
５１  第１フレーム
５２  第２フレーム
６，７  支持体
６１，７１  第１部位
６２，７２  第２部位
Ｃ１〜Ｃ４  タッチパネルの隅部
【図１】
0005679905.tif 000002
【図２】
0005679905.tif 000003
【図３】
0005679905.tif 000004
【図４】
0005679905.tif 000005
【図５】
0005679905.tif 000006
【図６】
0005679905.tif 000007
【図７】
0005679905.tif 000008
【図８】
0005679905.tif 000009
【図９】
0005679905.tif 000010
【図１０】
0005679905.tif 000011
【図１１】
0005679905.tif 000012
【図１２】
0005679905.tif 000013